(57)【要約】【課題】  ユーザに密着する様態のものであってもユーザへの圧迫を可及的に防止することができる下着及びその製造方法を提供する。【解決手段】  股下部４は、後部５の股側である下縁中央から後部５と連続的に延設されており、該股下部４から前述した中央領域３２が連続的に延設してある。また、両側部領域３１，３１は後部５の両側からそれぞれ後部５と一体的に設けられている。そして、中央領域３２の両側縁と前記側部領域３１，３１の側端縁とを互いに縫合した縫合部６,６を形成して、中央領域３２と側部領域３１，３１とを相互に連結させてある。また、両脚刳り部１１，１１であって、前部３と股下部４とがなす隅部はそれぞれ、ユーザの鼠径部リンパ節を回避するように切り欠いた切欠き部７,７になしてある。【選択図】  図１
2010265554.tif 000002
【特許請求の範囲】
【請求項１】
ユーザの腹部側に配置される前部、ユーザの股下側に配置される股下部、及びユーザの臀部側に配置される後部を備えるボーイレッグ形状のパンティ型の下着であって、
前記前部は、前記股下部に連続する帯状の中央領域と、該中央領域の両側にそれぞれ配された側部領域とを備え、
前記後部及び股下部、股下部及び中央領域、後部及び一側部領域並びに後部及び他側部領域は相互一体的に形成してあり、
前記中央領域と両側部領域とが互いに縫合してある
ことを特徴とする下着。
【請求項２】
前記後部、股下部、中央領域及び両側部領域は、一の編成組織から切り出すことによって構成してある請求項１記載の下着。
【請求項３】
前記編成組織は、丸編機を用いて筒状の編成組織を編成し、得られた筒状の編成組織をその中心軸の軸長方向へ裁断して形成した平面状の編成組織によって構成してある請求項２記載の下着。
【請求項４】
前記側部領域と股下部とがなす隅部には、着用したユーザの鼠径部リンパ節を回避するように切り欠いた切欠き部が設けてある請求項１から３のいずれかに記載の下着。
【請求項５】
ユーザの腹部側に配置される前部、ユーザの股下側に配置される股下部、及びユーザの臀部側に配置される後部を備えるボーイレッグ形状のパンティ型の下着を製造する方法において、
一の編成組織を形成する編成組織形成工程と、
前記前部は、前記股下部に連続する帯状の中央領域と、該中央領域の両側にそれぞれ配された側部領域とを備え、相互一体的に形成される前記後部、股下部、中央領域及び両側部領域を前記編成組織から切り出す切出工程と、
前記中央領域と両側部領域とを互いに縫合する工程と
を実施することを特徴とする下着の製造方法。
【請求項６】
前記編成組織形成工程では、丸編機を用いて筒状の編成組織を編成し、得られた筒状の編成組織をその中心軸の軸長方向へ裁断して平面状の編成組織を形成する請求項５記載の下着の製造方法。
【発明の詳細な説明】
【技術分野】
【０００１】
本発明は、ショーツ又はブリーフ等のパンティ型の下着、及び当該下着を製造する方法に関する。
【背景技術】
【０００２】
ショーツ又はブリーフといったパンティ型の下着にあっては、インナー衣類たる下着のラインがズボン又はスカートといったアウター衣類の表面に響くことを低減すべく、ユーザに密着する様態のものが開発販売されている。
【０００３】
そのような様態の下着にあっては、ユーザの筋肉又は血管等も必要以上に圧迫し易いため、これを低減することが要求されている。
そのため、後記する特許文献１には次のようなショーツが開示されている。
【０００４】
図６は、従来のショーツ及びその製造方法を説明する説明図である。
かかるショーツは、図６（ａ）に示した如く、ユーザの下腹部に配置される前部５３、ユーザの股下部に配置されるクロッチ部５４、及びユーザの臀部に配置される後部５５を備えて構成されており、これら前部５３、クロッチ部５４及び後部５５は各別に適宜の生地から所要形状に切り出されている。
【０００５】
そして、図６（ｂ）に示した如く、前部５３の股側となる下縁と後部５５の下縁との間にクロッチ部５４を配置して、前部５３とクロッチ部５４との当接部分及び後部５５とクロッチ部５４との当接部分を相互に縫合連結した後、クロッチ部５４の略中央位置で前部５３の上縁側両側部と後部５５の上縁側両側部とが当接するように二つ折りし、前部５３の上縁側両側縁及び後部５５の上縁側両側縁をそれぞれ縫合することによって、図６（ｃ）に示した如きショーツを得ていた。
【０００６】
このようなショーツにあっては、図６（ｃ）に示した如く、脚刳り部５１，５１が当該ショーツのウェスト開口部５０のウエストライン近傍まで切り込まれた所謂ハイレグ状になしてあり、また、前部５３の脚刳り部５１，５１に倣う部分がユーザの外腹斜筋の筋繊維と略同一方向へ伸びるようになしてある。
これによって、前部５３の前記部分が、外腹斜筋の筋繊維方向に対して横断して外腹斜筋を圧迫することが防止でき、前述した問題を低減することができる。
【先行技術文献】
【特許文献】
【０００７】
【特許文献１】特開平１０−１１０３０４号公報
【発明の概要】
【発明が解決しようとする課題】
【０００８】
しかしながら、縫合部は他の部分に比べて厚さが大きいので、ユーザに密着させる下着では縫合部がユーザを圧迫することとなるが、前述した如き従来の下着にあっては、前述した如く前部５３、クロッチ部５４及び後部５５の３片を切り出した後、これら３片を相互に縫合しているので、それら縫合部による圧迫箇所が多い。また、ユーザに着用されたパンツ型の下着は主に横方向へ伸張されるため、当該下着の両側部に強い引っ張り力が作用するのであるが、前述した従来の下着にあっては前部５３の上縁側両側縁及び後部５５の上縁側両側縁をそれぞれ縫合してあるので、引っ張り力が作用する位置と縫合位置とが一致し、ユーザへの圧迫力が更に大きいという問題があった。
【０００９】
更に、従来の下着にあっては、脚刳り部５１，５１がショーツのウエストラインの近傍まで切り込まれているため、必然的に前部５３の下縁側両側縁部によってユーザの大腿部の付根領域である鼠径部に位置するリンパ節が圧迫されるという問題もあった。
【００１０】
本発明は、斯かる事情に鑑みてなされたものであって、ユーザに密着する様態のものであってもユーザへの圧迫を可及的に防止することができる下着、及び該下着の製造方法を提供する。
【課題を解決するための手段】
【００１１】
（１）本発明に係る下着は、ユーザの腹部側に配置される前部、ユーザの股下側に配置される股下部、及びユーザの臀部側に配置される後部を備えるボーイレッグ形状のパンティ型の下着であって、前記前部は、前記股下部に連続する帯状の中央領域と、該中央領域の両側にそれぞれ配された側部領域とを備え、前記後部及び股下部、股下部及び中央領域、後部及び一側部領域並びに後部及び他側部領域は相互一体的に形成してあり、前記中央領域と両側部領域とが互いに縫合してあることを特徴とする。
【００１２】
本発明の下着にあっては、前部を構成する中央領域、一側部領域及び他側部領域、股下部、並びに、後部が相互一体的に構成されており、中央領域と両側部領域とを互いに縫合するだけであるため、縫合部の数が相対的に少ないのに加え、当該縫合部はユーザの下腹中央より少しユーザの両脇側の位置に形成されているため、ショーツの引っ張り力が作用する位置と縫合位置とが相違し、ユーザへの圧迫を可及的に低減することができる。
【００１３】
このとき、ショーツの引っ張り力が作用する位置であるショーツの側部に縫合部が形成されていないため、従来のショーツに比べてユーザへの圧迫が格段に少ない。
また、本発明に係る下着は、ボーイレッグ形状であるため、ユーザの鼠径部を殆ど圧迫しない。
【００１４】
（２）また、本発明に係る下着は必要に応じて、前記後部、股下部、中央領域及び両側部領域は、一の編成組織から切り出すことによって構成してあることを特徴とする。
本発明の下着にあっては、後部、股下部、中央領域及び両側部領域は、一の編成組織から、例えば型紙を用いて切り出してなる。これによって、後部と股下部との間、股下部と中央領域との間、及び後部と両側部領域との間の部分を、段差等が存在しない平坦な領域となすことができ、ユーザへの圧迫を回避することができる。
【００１５】
（３）また、本発明に係る下着は必要に応じて、前記編成組織は、丸編機を用いて筒状の編成組織を編成し、得られた筒状の編成組織をその中心軸の軸長方向へ裁断して形成した平面状の編成組織によって構成してあることを特徴とする。
本発明の下着にあっては、前述した編成組織は、丸編機を用いて筒状の編成組織を編成し、得られた筒状の編成組織をその中心軸の軸長方向へ裁断して形成した平面状の編成組織によって構成してあるため、１台の丸編機で種々のサイズの下着に応じた寸法の編成組織を容易に編成することができる。
【００１６】
（４）更に、本発明に係る下着は、前記側部領域と股下部とがなす隅部には、着用したユーザの鼠径部リンパ節を回避するように切り欠いた切欠き部が設けてあることを特徴とする。
本発明の下着にあっては、側部領域と股下部とがなす隅部に、着用したユーザの鼠径部リンパ節を回避するように切り欠いた切欠き部が設けてあるため、鼠径部リンパ節を含めてユーザの鼠径部を圧迫せず、長時間着用した場合であっても、ユーザが殆ど感じないほど負担を軽減することができる。
【００１７】
（５）本発明に係る下着の製造方法は、ユーザの腹部側に配置される前部、ユーザの股下側に配置される股下部、及びユーザの臀部側に配置される後部を備えるボーイレッグ形状のパンティ型の下着を製造する方法において、一の編成組織を形成する編成組織形成工程と、前記前部は、前記股下部に連続する帯状の中央領域と、該中央領域の両側にそれぞれ配された側部領域とを備え、相互一体的に形成される前記後部、股下部、中央領域及び両側部領域を前記編成組織から切り出す切出工程と、前記中央領域と両側部領域とを互いに縫合する工程とを実施することを特徴とする。
【００１８】
本発明の下着の製造方法にあっては、編成組織形成工程にて一の編成組織を形成し、切出工程にて、相互一体的に形成される前記後部、股下部、中央領域及び両側部領域を前記編成組織から切り出す。前述した前部は、前記股下部に連続する帯状の中央領域と、該中央領域の両側にそれぞれ配された側部領域とを備えて構成されており、前記後部及び股下部、股下部及び中央領域、後部及び一側部領域並びに後部及び他側部領域は相互一体的に形成される。
そして、中央領域と両側部領域とを互いに縫合する工程を実施することによって、下着を形成する。
【００１９】
このように前部を構成する中央領域及び両側部領域、股下部、並びに後部が一体的に構成されており、中央領域と両側部領域とを互いに縫合するだけであるため、縫合部の数が相対的に少ないのに加え、当該縫合部はユーザの下腹部中央より少しユーザの両脇側の位置に形成されているため、ショーツの引っ張り力が作用する位置と縫合位置とが相違し、ユーザへの圧迫を可及的に低減することができる。
【００２０】
また、ショーツの引っ張り力が作用する位置であるショーツの側部に縫合部が形成されていないため、従来のショーツに比べてユーザへの圧迫が格段に少ない。
一方、本発明に係る下着は、ボーイレッグ形状であるため、ユーザの鼠径部を殆ど圧迫しない。
【００２１】
（６）また、本発明に係る下着の製造方法は必要に応じて、前記編成組織形成工程では、丸編機を用いて筒状の編成組織を編成し、得られた筒状の編成組織をその中心軸の軸長方向へ裁断して平面状の編成組織を形成することを特徴とする。
本発明の下着の製造方法にあっては、前述した編成組織形成工程では、丸編機を用いて筒状の編成組織を編成し、得られた筒状の編成組織をその中心軸の軸長方向へ裁断して平面状の編成組織を形成するため、１台の丸編機で種々のサイズの下着に応じた寸法の編成組織を容易に編成することができる。
【００２２】
また、丸編機を用いて編成組織を編成する場合、強収縮性の部分、及び／又はパイル地等を例えばカットボス法によって容易に形成することができ、これによって所要の機能を下着に付与することができる。
【図面の簡単な説明】
【００２３】
【図１】本発明に係る下着の一例を示す正面図である。
【図２】図１に示したショーツの展開図である。
【図３】図１に示したショーツの製造手順を説明する説明図である。
【図４】図３に示したショーツの製造手順の一部工程を改変した場合を説明する説明図である。
【図５】本発明に係るショーツの更に他の製造手順を説明する説明図である。
【図６】従来のショーツ及びその製造方法を説明する説明図である。
【発明を実施するための形態】
【００２４】
（第１の実施形態）
図１は、本発明に係る下着の一例を示す正面図であり、ショーツに適用した場合を示している。また、図２は、図１に示したショーツの展開図である。
図１に示したように、ショーツは、ユーザの下腹部に配置される前部３、ユーザの股下部に配置される股下部４、及びユーザの臀部に配置される後部５を設けてなり、ユーザの左右の脚部をそれぞれ挿通させる脚刳り部１１，１１、及びユーザの腹部を囲繞するウェスト開口部１０が形成してある。かかるショーツは着用したユーザに密着するようになしてある。
【００２５】
ショーツの前部３は、当該前部３の略中央位置に縦方向へ配設された帯状の中央領域３２と、該中央領域３２の両側にそれぞれ配設された側部領域３１，３１とを備えており、中央領域３２の両側縁と前記側部領域３１，３１の側端縁とを互いに縫合した縫合部６,６を形成して、中央領域３２と側部領域３１，３１とを相互に連結させてある。
【００２６】
前述した中央領域３２の適宜位置には他の部分の収縮力より相対的に強い収縮力になした１又は複数（図１にあっては２本）の強収縮部３５，３５が、例えば互いに交差する様態で設けてあり、これによってユーザの下腹部の膨らみを引き締めるようになしてある。
【００２７】
一方、図２に示したように、前述した股下部４は、後部５の股側である下縁中央から後部５と連続的に延設されており、該股下部４から前述した中央領域３２が連続的に延設してある。更に、前述した両側部領域３１，３１は後部５の両側からそれぞれ後部５と一体的に設けられている。つまり、前部３を構成する中央領域３２及び両側部領域３１，３１、股下部４、並びに後部５は一体的に構成されているのである。
【００２８】
また、両脚刳り部１１，１１のショーツ側部に対応する部分は、ユーザの大腿部の付け根の位置より足先側に位置するようになしてあり、これによってショーツは着用時の脚刳り部１１，１１のラインが略横線上に位置する所謂ボーイレッグ形状になっている。
【００２９】
そして、前述した中央領域３２と股下部４との境界部分の幅寸法は、ユーザの鼠径部リンパ節の間の寸法より狭くなしてあり、更に、両脚刳り部１１，１１であって、前部３と股下部４とがなす隅部はそれぞれ、ユーザの鼠径部リンパ節の一部上にも覆いかからないように、すなわちユーザの鼠径部リンパ節を回避するように切り欠いた切欠き部７,７になしてある。
【００３０】
ところで、前述した前部３及び後部５は、後述する如く丸編機を用いた平編によって編成されており、横方向へ伸縮自在になしてある。一方、股下部４は平編の編成組織中にパイル糸を例えばカットボス法によって編み込んだパイル地になしてあり、肌触りを良好になすと共に蒸れを防止し得るようになしてある。
一方、前述した中央領域３２の強収縮部３５，３５は、例えば丸編機を用いたカットボス法によって形成されている。
【００３１】
次に、図１に示したショーツを製造する方法について説明する。
図３は、図１に示したショーツの製造手順を説明する説明図である。
図３（ａ）に示したように、丸編み機によって筒状の編成組織ＴＨを所要の長さ寸法になるように編成する。このとき、図３（ｃ）に示すように、編成組織ＴＨの前部３及び後部５に対応する領域は平編で編成するとともに、前述した中央領域３２の強収縮部３５，３５に対応する部分は、例えばカットボス法によって編成する。一方、股下部４に対応する領域は、パイル糸を編み立ててパイル地になしてある。
【００３２】
次に、図３（ｂ）に示したように、筒状の編成組織ＴＨの所定位置で当該筒状の編成組織ＴＨの中心軸の軸長方向（ウェール方向）へ裁断し、それを展開することによって、図３（ｃ）に示したように、平面状の編成組織ＨＨを得る。ここで、筒状の編成組織ＴＨの中心軸の軸長方向（ウェール方向）が平面状の編成組織ＨＨの長さ方向（図３にあっては横方向）となり、筒状の編成組織ＴＨの周方向（コース方向）が平面状の編成組織ＨＨの幅方向（図３にあっては縦方向）となる。
【００３３】
なお、筒状の編成組織ＴＨを複数の位置で裁断して、複数の平面状の編成組織ＨＨを得るようにしてもよい。
その後、図３（ｃ）（ｄ）に示したように、この平面状の編成組織ＨＨから、図２に示した如き略Ｔ字状の基体２を、当該基体２の横方向が平面状の編成組織ＨＨの幅方向となるように切り出す。これによって、前部３及び後部５はそれらの横方向へ伸縮自在になされる。
【００３４】
従って、基体２の縦方向の寸法は、丸編み機による筒状の編成組織ＴＨの周方向の寸法にて調整し、基体２の横方向の寸法は、丸編み機による筒状の編成組織ＴＨの中心軸の軸長方向の寸法にて調整する。そのため、丸編み機による筒状の編成組織ＴＨの両寸法を調整することによって、種々のサイズの基体２に対しても容易に対応することができる。また、同様に、丸編み機による筒状の編成組織ＴＨの両寸法を調整することによって、１枚の平面状の編成組織ＨＨから複数片の基体２，２，…を切り出すようになすこともできる。
【００３５】
そして、前述したように基体２の中央領域３２及び両側部領域３１，３１を織り込み、中央領域３２の両側縁と側部領域３１，３１の側端縁（いずれも図２参照）とを互いに縫合することによって、図３（ｅ）に示したようにショーツ１を得る。
【００３６】
このようなショーツにあっては、前部３を構成する中央領域３２及び両側部領域３１，３１、股下部４、並びに後部５が一体的に構成されており、中央領域３２と側部領域３１，３１とを縫合するだけであるため、縫合部６,６の数が相対的に少ないのに加え、当該縫合部６,６はユーザの下腹部中央より少しユーザの両脇側の位置に形成されているため、ショーツの引っ張り力が作用する位置と縫合位置とが相違し、ユーザへの圧迫を可及的に低減することができる。
このとき、ショーツの引っ張り力が作用する位置であるショーツの側部に縫合部が形成されていないため、従来のショーツに比べてユーザへの圧迫が格段に少ない。
【００３７】
また、本発明に係るショーツはボーイレッグ形状になしてあるため、鼠径部リンパ節を除いて、脚の付け根周りを可及的に圧迫しないようになっているのに加え、前述した如く前部３と股下部４とがなす隅部にはそれぞれ、ユーザの鼠径部リンパ節を回避するように切り欠いた切欠き部７,７が形成してあるため、鼠径部リンパ節を含めてユーザの鼠径部を圧迫せず、長時間着用した場合であっても、ユーザが殆ど感じないほど負担を軽減することができる。
【００３８】
一方、図３（ｃ）に示したように、丸編み機を用いて形成した平面状の編成組織ＨＨからショーツの基体２を切り出すため、後部５と股下部４との間、股下部４と中央領域３２との間、及び後部５と両側部領域３１，３１との間の部分を、段差等が存在しない平坦な領域となすことができ、ユーザへの圧迫を回避することができる。
【００３９】
ところで、本ショーツはボーイレッグ形状になしてあるため、前部３と股下部４とがなす隅部に前述した如く切り欠いた切欠き部７,７を形成した場合であっても、ユーザに与える露出感が抑制され、ユーザは安心して着用することができる。
【００４０】
なお、切欠き部７,７は、図２に示した如く、両側部領域３１，３１の角部３３,３３の寸法及び／又は形状を変更することによってその大きさ及び／又は形状を調整することができ、切欠き部７,７の形状は、鋭角形状又は円弧形状等、適宜の形状であってよい。
【００４１】
一方、前述したように前部３を構成する中央領域３２及び両側部領域３１，３１、股下部４、並びに後部５が一体的に構成されているため、アウター衣類への響きが殆ど無く、特に臀部において縫合部によるアウター衣類への響きが生じないという優れた効果を生じる。
【００４２】
なお、本実施の形態では婦人用のショーツに適用した場合について示したが、本発明はこれに限らず、男性用の下着にも適用し得ることはいうまでもない。
また、本発明に係る下着は以上に説明した実施の形態に限られず、本発明の範囲内で１又は複数の部分を適宜変更することができる。
【００４３】
（第２の実施形態）
次に、他の製造手順について説明する。
図４は、図３に示したショーツの製造手順の一部工程を改変した場合を説明する説明図であり、図３（ｃ）の工程に対応するものである。なお、図３（ａ）、（ｄ）及び（ｅ）に示した工程に対応する工程は前同様であるのでその説明を省略する。
【００４４】
丸編み機によって筒状の編成組織ＴＨ（図３（ａ）参照）を編成した後、当該筒状の編成組織ＴＨの中心軸の軸長方向へ階段状に裁断し、それを展開することによって、図４（ｃ１）に示したように、平面状の編成組織ＨＨを得る。前述した裁断により平面状の編成組織ＨＨの両側縁は、互いに対象な階段状になっている。
【００４５】
図４（ｃ１）に示したように、この平面状の編成組織ＨＨから、図２に示した如き略Ｔ字状の複数の基体２，２，…を、当該基体２，２，…の横方向が平面状の編成組織ＨＨの長さ方向（図４にあっては横方向）となるように切り出す。これによって、前部３及び後部５（図１参照）は、それらの縦方向へ伸縮自在になされる一方、それらの横方向への伸張が制限されて着用者に引き締め効果が奏される。また、相隣る基体２，２，…は互いに１８０°位置を異ならせてあり、裁断による余剰部分を可及的に低減するようになしてある。このとき、平面状の編成組織ＨＨの両側縁は互いに対象な階段状になっているため、裁断による余剰部分を更に低減することができる。
このようにして切り出した基体２，２，…についてそれぞれ前述した如く縫合することによってショーツ１（図３（ｅ）参照）を得る。
【００４６】
（第３の実施形態）
図５は、本発明に係るショーツの更に他の製造手順を説明する説明図であり、一度により多数の基体２，２，…を切り出し得るようになしてある。
図５（ａ２）に示したように、丸編み機によって筒状の編成組織ＴＨを所要の長さ寸法になるように編成する。このとき、編成組織ＴＨの前部３及び後部５に対応する領域は平編で編成するとともに、前述した中央領域３２の強収縮部３５，３５に対応する部分は、例えばカットボス法によって編成する。一方、股下部４に対応する領域は、パイル糸を編み立ててパイル地になしてある。
【００４７】
次に、図５（ｂ２）に示したように、筒状の編成組織ＴＨのコース方向Ｃの２箇所で当該筒状の編成組織ＴＨのウェール方向Ｗへそれぞれ裁断し、それらを展開することによって、図５（ｃ２）に示したように、２片の平面状の編成組織ＨＨ，ＨＨを得る。ここで、筒状の編成組織ＴＨのウェール方向Ｗが平面状の編成組織ＨＨの長さ方向（図５にあっては横方向）となり、筒状の編成組織ＴＨのコース方向Ｃが平面状の編成組織ＨＨの幅方向（図５にあっては縦方向）となる。
なお、筒状の編成組織ＴＨを３以上の位置で裁断して、３片以上の平面状の編成組織ＨＨ，ＨＨ，…を得るようにしてもよい。
【００４８】
次に、図５（ｃ２）に示したように、両平面状の編成組織ＨＨ，ＨＨからそれぞれ、図５（ｄ２）に示した如き略Ｔ字状の基体２，２，…を切り出す。この場合、基体２の横方向がウェール方向Ｗになるので、前部３及び後部５はそれらの横方向へ伸縮自在になされる。
【００４９】
そして、基体２の中央領域３２及び両側部領域３１，３１を織り込み、中央領域３２の両側縁と側部領域３１，３１の側端縁とを互いに縫合することによって、図５（ｅ２）に示したようにショーツ１を得る。
このように、一つの筒状の編成組織ＴＨからより多数の基体２，２，…を切り出すことができるため、ショーツ１の製造コストを可及的に低減することができる。
【符号の説明】
【００５０】
２    基体
３    前部
４    股下部
５    後部
６    縫合部
７    切欠き部
１０    ウェスト開口部
１１    脚刳り部
３１    側部領域
３２    中央領域
【図１】
2010265554.tif 000003
【図２】
2010265554.tif 000004
【図３】
2010265554.tif 000005
【図４】
2010265554.tif 000006
【図５】
2010265554.tif 000007
【図６】
2010265554.tif 000008